(57)【要約】【課題】演出装置において、自然な動作を可能とする。【解決手段】上シャッタ１０２ａおよび下シャッタ１０２ｂが起点に位置する閉状態（図５（ａ））から、上シャッタ１０２ａおよび下シャッタ１０２ｂが終点に位置する開状態までの間で、上シャッタ１０２ａおよび下シャッタ１０２ｂが往復動作し、下シャッタ１０２ｂが終点に位置する開状態では、下シャッタ１０２ｂが開く方向に弾性部材１０８の弾性力が付与され、下シャッタ１０２ｂが起点に位置する閉状態では、下シャッタ１０２ｂが閉じる方向に弾性部材１０８の弾性力が付与される。【選択図】図５
2018202030.tif 000002
【特許請求の範囲】
【請求項１】
演出装置を備えた遊技機であって、
前記演出装置は、
所定の起点から所定の終点まで往方向に動作し、該終点から該起点まで復方向に動作して往復動作する作動部材と、
前記作動部材が前記終点に位置する場合には、弾性力を該作動部材の前記往方向に付与し、該作動部材が前記起点に位置する場合には、該弾性力を該作動部材の前記復方向に付与する弾性部材と、
を備える遊技機。
【請求項２】
前記作動部材を往復動作させるための駆動源を備え、
前記作動部材の往復方向に直交する方向において、前記駆動源が該作動部材の一方側に配置され、前記弾性部材が該作動部材の他方側に配置される請求項１に記載の遊技機。
【請求項３】
前記作動部材の往復動作に追従して回転するギアを更に備え、
前記ギアの中心より外側に位置する接続部を介して前記弾性部材が接続され、
前記弾性力が働く方向が前記ギアの中心を通る前記接続部の位置を基準位置とした際に、前記作動部材が前記往方向に位置する場合には、該接続部が該基準位置よりも一方側に位置し、該作動部材が前記復方向に位置する場合には、該接続部が該基準位置よりも他方側に位置する請求項１または２に記載の遊技機。
【請求項４】
前記作動部材は、第１の作動部材および第２の作動部材の一対で構成され、
前記第１の作動部材および前記第２の作動部材が、前記往方向に動作すると互いに離間し、前記復方向に動作すると互いに近接する請求項１から３のいずれか一項に記載の遊技機。
【発明の詳細な説明】
【技術分野】
【０００１】
本発明は、演出装置を備えた遊技機に関する。
【背景技術】
【０００２】
従来、始動口に遊技球が入球したことを条件として大役抽選が行われ、大役抽選により大当たりに当選すると、大役遊技が実行される遊技機が知られている。また、例えば特許文献１に示されるように、遊技領域に、遊技演出を行う可動演出装置を備えた遊技機が知られている。
【０００３】
特許文献１では、一対のシャッタ状の可動体を備え、可動体の当接面が当接した際に磁石同士が磁着して、両当接面が当接した状態で保持される可動演出装置を備えた遊技機が開示されている。
【先行技術文献】
【特許文献】
【０００４】
【特許文献１】特許第５１７２５１２号公報
【発明の概要】
【発明が解決しようとする課題】
【０００５】
上記の遊技機においては、磁力の影響によって、可動体の閉鎖直前に意図しない吸着や、可動体の開放直後に吸着力によるねじれ等の不自然な動作が生じてしまうという課題がある。
【０００６】
本発明は、演出装置において、自然な動作が可能な遊技機を提供することを目的とする。
【課題を解決するための手段】
【０００７】
上記課題を解決するために、本発明の遊技機は、演出装置を備えた遊技機であって、前記演出装置は、所定の起点から所定の終点まで往方向に動作し、該終点から該起点まで復方向に動作して往復動作する作動部材と、前記作動部材が前記終点に位置する場合には、弾性力を該作動部材の前記往方向に付与し、該作動部材が前記起点に位置する場合には、該弾性力を該作動部材の前記復方向に付与する弾性部材と、を備える。
【０００８】
また、前記作動部材を往復動作させるための駆動源を備え、前記作動部材の往復方向に直交する方向において、前記駆動源が該作動部材の一方側に配置され、前記弾性部材が該作動部材の他方側に配置されるとよい。
【０００９】
また、前記作動部材の往復動作に追従して回転するギアを更に備え、前記ギアの中心より外側に位置する接続部を介して前記弾性部材が接続され、前記弾性力が働く方向が前記ギアの中心を通る前記接続部の位置を基準位置とした際に、前記作動部材が前記往方向に位置する場合には、該接続部が該基準位置よりも一方側に位置し、該作動部材が前記復方向に位置する場合には、該接続部が該基準位置よりも他方側に位置するとよい。
【００１０】
また、前記作動部材は、第１の作動部材および第２の作動部材の一対で構成され、前記第１の作動部材および前記第２の作動部材が、前記往方向に動作すると互いに離間し、前記復方向に動作すると互いに近接するとよい。
【発明の効果】
【００１１】
本発明の遊技機によれば、演出装置において、自然な動作が可能となる。
【図面の簡単な説明】
【００１２】
【図１】収納ケースに収納された状態における演出装置の正面側斜視図である。
【図２】収納ケースから、上シャッタ、下シャッタ、および、モータを取り出した状態における演出装置の正面側斜視図である。
【図３】収納ケースから、上シャッタ、下シャッタ、および、モータを取り出した状態における演出装置の背面側斜視図である。
【図４】上シャッタに形成されたギアの説明図である。
【図５】（ａ）は図２（ａ）のＡ−Ａ断面図であり、（ｂ）は図２（ｂ）のＢ−Ｂ断面図である。
【図６】下シャッタに付与される弾性力の方向が切り替わる、接続部の基準位置を説明する説明図である。
【図７】閉状態における上シャッタおよび下シャッタの拡大図である。
【図８】上シャッタおよび下シャッタに亘って意匠が施された意匠部の説明図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、収納ケース１００ａに収納された状態における演出装置１００の正面側斜視図である。図１（ａ）は閉状態、図１（ｂ）は開状態を示している。
【００１５】
図１に示すように、演出装置１００は、開閉動作（往復動作）が可能な上シャッタ（第１の作動部材）１０２ａおよび下シャッタ（第２の作動部材）１０２ｂを備えている。
【００１６】
また、上シャッタ１０２ａおよび下シャッタ１０２ｂの往復動作を行うための駆動源としてのモータ１０４が、正面側から見て右側に備えられる。一方、正面側から見て左側には、弾性部材１０８（後述する図２（ａ）参照）が備えられている。
【００１７】
このように、上シャッタ１０２ａおよび下シャッタ１０２ｂの往復方向に直交する方向において、モータ１０４が上シャッタ１０２ａおよび下シャッタ１０２ｂの一方側（右側）に配置され、弾性部材１０８が上シャッタ１０２ａおよび下シャッタ１０２ｂの他方側（左側）に配置される。弾性部材１０８は、例えば、バネやゴムなどで構成される。以下では、弾性部材１０８として、引張バネを用いた場合について記載する。弾性部材１０８は、自身が収縮する向き、すなわち、図５（ａ）では矢印１１２ａの方向へ、図５（ｂ）では矢印１１２ｂの方向へ弾性力を作用させている。
【００１８】
さらに、上シャッタ１０２ａと下シャッタ１０２ｂの内側には、リールユニット１０６が設けられている。リールユニット１０６には、複数種類の図柄（不図示）がそれぞれ配列された３つの回転リール１０６ａ、１０６ｂ、１０６ｃが、それぞれ独立して回転可能に設けられている。そして、上シャッタ１０２ａ、下シャッタ１０２ｂ、リールユニット１０６、および、モータ１０４が、収納ケース１００ａに収納されている。
【００１９】
また、収納ケース１００ａの前面側（図１中の手前側）には、透明の収納ケースカバー（不図示）が取り付け可能となっており、この透明ケースカバーを取り付けた状態で、遊技機に備え付けられる。
【００２０】
図１（ａ）の閉状態では、３つの回転リール１０６ａ、１０６ｂ、１０６ｃを覆うように、上シャッタ１０２ａおよび下シャッタ１０２ｂが近接した状態で保持され、遊技者が３つの回転リール１０６ａ、１０６ｂ、１０６ｃを視認できない状態となっている。詳しくは後述するが、上シャッタ１０２ａおよび下シャッタ１０２ｂには意匠が施されている。そのため、閉状態において、遊技者は、上シャッタ１０２ａおよび下シャッタ１０２ｂに施された意匠を注視することとなる。
【００２１】
一方、図１（ｂ）の開状態では、上シャッタ１０２ａおよび下シャッタ１０２ｂが離間した状態で保持され、３つの回転リール１０６ａ、１０６ｂ、１０６ｃが遊技者に視認可能となっている。そのため、開状態において、遊技者は、３つの回転リール１０６ａ、１０６ｂ、１０６ｃを注視することとなる。
【００２２】
図２は、収納ケース１００ａから、上シャッタ１０２ａ、下シャッタ１０２ｂ、および、モータ１０４を取り出した状態における演出装置１００の正面側斜視図である。図２（ａ）は閉状態、図２（ｂ）は開状態を示している。
【００２３】
上シャッタ１０２ａは、閉状態における位置（以下、起点ともいう）から上方へ移動して、開状態における位置（以下、終点ともいう）まで動作可能となっている。同様に、下シャッタ１０２ｂは、閉状態における位置（起点）から下方へ移動して、開状態における位置（終点）まで動作可能となっている。
【００２４】
このようにして、上シャッタ１０２ａおよび下シャッタ１０２ｂは、起点から終点へと往方向に動作し、反対に、終点から起点へと復方向に動作することにより、往復動作を行う。
【００２５】
ここで、上シャッタ１０２ａおよび下シャッタ１０２ｂの開閉動作は、起点を中心に対称となるように連動して行われる。具体的には、上シャッタ１０２ａが上方へと移動するとともに下シャッタ１０２ｂが下方へと移動して開状態となり、上シャッタ１０２ａが下方へと移動するとともに下シャッタ１０２ｂが上方へと移動して閉状態となる。この開閉動作は、モータ１０４の駆動力を複数のギアから成る開閉機構を介して上シャッタ１０２ａおよび下シャッタ１０２ｂに伝達することで行われる。
【００２６】
なお、上シャッタ１０２ａに取り付けられるストッパー１３０について、詳しくは後述する。
【００２７】
図３は、収納ケース１００ａから、上シャッタ１０２ａ、下シャッタ１０２ｂ、および、モータ１０４を取り出した状態における演出装置１００の背面側斜視図である。図３（ａ）は閉状態、図３（ｂ）は開状態を示している。また、図４は、上シャッタ１０２ａに形成されたギア１２４ｃの説明図である。なお、図４は、図３（ａ）から、下シャッタ１０２ｂを取り外した状態である。
【００２８】
図３に示すように、モータ１０４には、ギア１０４ａが取り付けられている。また、ギア１０４ａは、ギア１２０と噛合している。さらに、ギア１２０は、ギア１２２および下シャッタ１０２ｂに形成されたギア１２４ａと噛合している。また、図４に示すように、ギア１２２は、上シャッタ１０２ａに形成されたギア１２４ｃと噛合している。
【００２９】
これによって、モータ１０４が一方向に駆動すると閉状態（図３（ａ））から開状態（図３（ｂ））へと上シャッタ１０２ａおよび下シャッタ１０２ｂが動作し、モータ１０４が他方向に駆動すると開状態から閉状態へと上シャッタ１０２ａおよび下シャッタ１０２ｂが動作する。このようにして、上シャッタ１０２ａおよび下シャッタ１０２ｂの開閉動作が、起点を中心に対称となるように連動して行われる。
【００３０】
図５（ａ）は図２（ａ）のＡ−Ａ断面図であり、図５（ｂ）は図２（ｂ）のＢ−Ｂ断面図である。図５（ａ）は閉状態、図５（ｂ）は開状態を示している。
【００３１】
図５に示すように、弾性部材１０８が、ギア１１０の中心１１０ａよりも外側に位置する接続部１１０ｂを介して、ギア１１０に接続される。ギア１１０は、下シャッタ１０２ｂに形成されたギア１２４ｂと噛合している。
【００３２】
図５（ａ）に示すように、下シャッタ１０２ｂが起点に位置する閉状態では、弾性部材１０８の弾性力が、矢印１１２ａの方向に沿って働くので、ギア１１０において矢印１１４ａの方向（反時計回り）の回転力が加わることとなる。そのため、下シャッタ１０２ｂが起点に位置する際には、下シャッタ１０２ｂには、矢印１１６の方向（時計回り）の回転力が加わることとなる。
【００３３】
このように、下シャッタ１０２ｂが起点に位置する場合には、下シャッタ１０２ｂにおける復方向に弾性力が付与される。すなわち、下シャッタ１０２ｂが閉じる方向に弾性力が付与される。そのため、閉状態において、下シャッタ１０２ｂが重力によって下方へと下がって上シャッタ１０２ａとの間に隙間が生じることを防止することができる。
【００３４】
また、モータ１０４をシャッタ１０２ａ、１０２ｂの片側に設けた場合、モータ１０４が配置されていない側は、下シャッタ１０２ｂが重力によって下方へと下がり、隙間が生じやすい。これに対して、本実施形態においては、モータ１０４の反対側に、弾性部材１０８が設けられているので、下シャッタ１０２ｂと上シャッタ１０２ａとの間に隙間が生じることをより効果的に防止することができる。また、このような隙間への対策のためにモータ１０４を増設したり、モータ１０４の動力を反対側に伝達するような複雑な機構を必要としないため、安価に、下シャッタ１０２ｂと上シャッタ１０２ａとの間に隙間が生じることを防止することができる。
【００３５】
下シャッタ１０２ｂと上シャッタ１０２ａとの間に隙間が生じることを防止するために、磁石を用いた場合には、磁力の影響によって、下シャッタ１０２ｂと上シャッタ１０２ａの閉鎖直前に意図しない吸着や、開放直後に吸着力によるねじれ等の不自然な動作が生じてしまうという場合がある。これに対して、上記のように、弾性部材１０８を用いることによって、上シャッタ１０２ａおよび下シャッタ１０２ｂの閉鎖直前における意図しない吸着や、開放直後における吸着力によるねじれ等の不自然な動作を防止することができる。
【００３６】
また、図５（ｂ）に示すように、下シャッタ１０２ｂが終点に位置する開状態では、弾性部材１０８の弾性力が、矢印１１２ｂの方向に沿って働くので、ギア１１０において矢印１１４ｂの方向（時計回り）の回転力が加わることとなる。そのため、下シャッタ１０２ｂが終点に位置する際には、下シャッタ１０２ｂには、矢印１１８の方向（反時計回り）の回転力が加わることとなる。
【００３７】
このように、下シャッタ１０２ｂが終点に位置する場合には、下シャッタ１０２ｂにおける往方向に弾性力が付与される。下シャッタ１０２ｂが閉じる方向に弾性力が常に付与されていると、開状態において、下シャッタ１０２ｂの弾性部材１０８側が持ち上がるような不自然な状態となってしまう。そこで、開状態においては図５（ｂ）に示すように、下シャッタ１０２ｂが開く方向に弾性力を付与させることで、下シャッタ１０２ｂを自然な状態で保持することが可能となる。
【００３８】
図６は、下シャッタ１０２ｂに付与される弾性力の方向が切り替わる、接続部１１０ｂの基準位置を説明する説明図である。図６に示す状態では、弾性部材１０８の弾性力が働く方向（矢印１１２ｃ）が、ギア１１０の中心１１０ａを通る。そのため、弾性部材１０８の弾性力による回転力が、ギア１１０および下シャッタ１０２ｂに作用しない。
【００３９】
ここで、図６における接続部１１０ｂの位置を基準位置とすると、下シャッタ１０２ｂが往方向に位置する場合（図５（ｂ）の状態）には、接続部１１０ｂが基準位置よりも一方側（左側）に位置する。同様に、下シャッタ１０２ｂが復方向に位置する場合（図５（ａ）の状態）には、接続部１１０ｂが基準位置よりも他方側（右側）に位置する。
【００４０】
そして、下シャッタ１０２ｂに付与される弾性力の方向は、接続部１１０ｂの基準位置を境にして切り替わる。接続部１１０ｂが基準位置よりも一方側（左側）に位置する場合（図５（ｂ）の状態）には、下シャッタ１０２ｂにおける往方向に弾性力が付与される。すなわち、下シャッタ１０２ｂが開く方向に弾性力が付与される。
【００４１】
これに対して、接続部１１０ｂが基準位置よりも他方側（右側）に位置する場合（図５（ａ）の状態）には、下シャッタ１０２ｂにおける復方向に弾性力が付与される。すなわち、下シャッタ１０２ｂが閉じる方向に弾性力が付与される。このように、下シャッタ１０２ｂに付与される弾性力の方向を切り替えるのに、複雑な機構を必要としないので、コストを低減することもできる。
【００４２】
図７は、閉状態における上シャッタ１０２ａおよび下シャッタ１０２ｂの拡大図である。図７に示すように、閉状態において、上シャッタ１０２ａと下シャッタ１０２ｂとの接触を防止するためのストッパー１３０によって、上シャッタ１０２ａと下シャッタ１０２ｂとの間に隙間１３２が形成される。ストッパー１３０は、図２（ｂ）に示すように、上シャッタ１０２ａの往復方向に直交する方向において、上シャッタ１０２ａの両端にそれぞれ配置される。
【００４３】
このように、ストッパー１３０を設けることによって、上シャッタ１０２ａと下シャッタ１０２ｂが最も近接する閉状態においても、上シャッタ１０２ａと下シャッタ１０２ｂが接触することを防止することができるので、上シャッタ１０２ａまたは下シャッタ１０２ｂが摩耗や破損することを防止することができる。
【００４４】
また、上シャッタ１０２ａの下端部および下シャッタ１０２ｂの上端部は、正面側（図７中の左側）から背面側（図７中の右側）へ向かうにしたがって、上方へと傾斜する形状となっている。
【００４５】
また、閉状態においては、上シャッタ１０２ａの後面側に、下シャッタ１０２ｂの重畳面１３４ａが位置する。そのため、正面側からは、下シャッタ１０２ｂの上端部のうち、重畳面１３４ａは視認できず、傾斜面１３４ｂが視認できるようになっている。
【００４６】
これによって、閉状態において、遊技者側（正面側）からは、上シャッタ１０２ａと下シャッタ１０２ｂの間の隙間１３２を介して背面側が見えないような構造とすることができる。そのため、閉状態における見栄えが悪化することを防止することができる。
【００４７】
さらに、重畳面１３４ａを少なくとも含んだ、上シャッタ１０２ａおよび下シャッタ１０２ｂの表面には、上シャッタ１０２ａおよび下シャッタ１０２ｂに亘って意匠が施された意匠部（後述する図８中の意匠部１４０ａ、１４０ｂ）が形成されている。このように、重畳面１３４ａにも意匠を施すことによって、演出装置１００における意匠性を向上することができる。
【００４８】
図８は、上シャッタ１０２ａおよび下シャッタ１０２ｂに亘って意匠が施された意匠部１４０ａ、１４０ｂの説明図である。図８（ａ）に示すように、上シャッタ１０２ａの意匠部１４０ａには、「激熱」という文字の略上半分が施され、下シャッタ１０２ｂの意匠部１４０ｂには「激熱」という文字の略下半分が施されている。また、上シャッタ１０２ａと下シャッタ１０２ｂには、背景としてダイヤパターンの意匠が施されている。
【００４９】
そして、図８（ｂ）に示すように、上シャッタ１０２ａと下シャッタ１０２ｂが、互いに近接して閉状態となると、「激熱」という文字が完成するとともに、背景のパターンがひと続きとなる。そのため、閉状態において上シャッタ１０２ａと下シャッタ１０２ｂが一体化したように見えることとなる。なお、ここでは背景と文字を組み合わせた場合を示したが、意匠部１４０ａ、１４０ｂに施す意匠の内容は特に限定されない。
【００５０】
上述したように、閉状態においては、上シャッタ１０２ａと下シャッタ１０２ｂとの間には隙間１３２が形成されており、上シャッタ１０２ａの後面側に、下シャッタ１０２ｂの重畳面１３４ａが位置する。
【００５１】
この重畳面１３４ａには、上シャッタ１０２ａの先端部に位置する端面１３４ｃの部分と同一の意匠が施されている。一方、傾斜面１３４ｂには、重畳面１３４ａおよび端面１３４ｃと連続する意匠が施されている。このようにすることによって、閉状態において、隙間１３２を介して遊技者が重畳面１３４ａを見たとしても、重畳面１３４ａと傾斜面１３４ｂには連続する意匠が施されているので、見た目上の違和感が生じにくくなる。
【００５２】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５３】
上記実施形態では、作動部材として、上下方向に開閉する上シャッタ（第１の作動部材）１０２ａおよび下シャッタ（第２の作動部材）１０２ｂの一対で構成される場合を示したが、作動部材は１つでもよい。また、開閉方向は、左右方向等でもよく、特に限定されない。
【００５４】
また、上記実施形態では、ギア１１０の接続部１１０ｂに弾性部材１０８を接続して、下シャッタ１０２ｂに弾性力を付与する場合を示したが、弾性部材１０８を下シャッタ１０２ｂに直接取り付けてもよい。
【符号の説明】
【００５５】
１００  演出装置
１０２ａ  上シャッタ
１０２ｂ  下シャッタ
１０４  モータ
１０８  弾性部材
１１０  ギア
１１０ｂ  接続部
【図１】
2018202030.tif 000003
【図２】
2018202030.tif 000004
【図３】
2018202030.tif 000005
【図４】
2018202030.tif 000006
【図５】
2018202030.tif 000007
【図６】
2018202030.tif 000008
【図７】
2018202030.tif 000009
【図８】
2018202030.tif 000010